(57)【要約】      （修正有）【課題】一般家庭に容易に設置でき、安価に実用化可能な汚損物洗浄装置を提供する。【解決手段】汚損物洗浄装置１は、床置き可能な電気温水器３４と、給水配管２４から供給される水を分岐する分岐部７と、分岐部７によって分岐された一方の水を貯水タンク２に給水する第１の給水管８と、分岐部７によって分岐された他方の水を流す第２の給水管９と、第２の給水管９からの水と貯水タンク２から出湯される湯とを混合する混合栓１０とを設える。さらに、混合栓１０に接続されており、混合した湯の流れを制御する開閉部３と、開閉部３に接続されており、所望の位置で固定可能なフレキシブルノズル１４とを備える。【選択図】図４
0003164233.tif 000002
【実用新案登録請求の範囲】
【請求項１】
床置き可能な電気温水器と、
給水配管から供給される水を分岐する分岐部と、
前記分岐部によって分岐された一方の水を前記電気温水器内の貯水タンクに給水する第１の給水管と、
前記分岐部によって分岐された他方の水を流す第２の給水管と、
前記第２の給水管からの水と前記貯水タンクから出湯される湯とを混合する混合栓と、
前記混合栓に接続されており、混合した湯の流れを制御する開閉部と、
前記開閉部に接続されており、所望の位置で固定可能なフレキシブルノズルとを備えることを特徴とする、汚損物洗浄装置。
【請求項２】
さらに、
前記給水配管の水を前記貯水タンクに給水するのを制御する止水栓と、
流量を一定にするための定流量栓と、
前記貯水タンクに給水する水圧を減圧する減圧栓とを備える、請求項１に記載の汚損物洗浄装置。
【請求項３】
前記開閉部は、レバーを上に向けると開く機構を有することを特徴とする、請求項１又は２に記載の汚損物洗浄装置。
【請求項４】
前記開閉部は、
アングル止水栓と、
前記アングル止水栓の弁を開閉するためのレバーハンドルとを含むことを特徴とする、請求項３に記載の汚損物洗浄装置。
【請求項５】
さらに、下部に、水を収容可能な排水トレイを備えることを特徴とする、請求項１〜４のいずれかに記載の汚損物洗浄装置。
【請求項６】
さらに、前記貯水タンクの膨張水を前記貯水タンクの外部に出すための逃がし弁を備えることを特徴とする、請求項１〜５のいずれかに記載の汚損物洗浄装置。
【請求項７】
さらに、前記貯水タンクの膨張水を前記貯水タンクの外部に出すための逃がし弁と、
前記逃がし弁からの前記膨張水を前記排水トレイに流し入れるための膨張水用排水管とを備えることを特徴とする、請求項５に記載の汚損物洗浄装置。
【請求項８】
前記排水トレイは、前記汚損物洗浄装置の下部において、引き出し可能に設置されており、
不使用時に、前記フレキシブルノズルの出湯口は、引き出された前記排水トレイの上部に配置可能であることを特徴とする、請求項５に記載の汚損物洗浄装置。
【請求項９】
湯沸かし時、前記開閉部は開けられた状態で、前記貯水タンクに水が貯まり、
前記開閉部が閉じられた状態で前記貯水タンクに貯まった水が所定の温度にまで熱せられ、
使用時、前記開閉部が開かれて、前記混合栓によって、前記第２の給水管と前記貯水タンクの湯とが混合され、前記フレキシブルノズルの先端から、出湯されることを特徴とする、請求項１〜８のいずれかに記載の汚損物洗浄装置。
【請求項１０】
前記貯水タンクにおいて、
前記第１の給水管が下部に取り付けられている場合、出湯用の配管は、上部に取り付けられており、若しくは、
前記第１の給水管が上部に取り付けられている場合、出湯用の配管は、下部に取り付けられていることを特徴とする、請求項１〜９のいずれかに記載の汚損物洗浄装置。
【考案の詳細な説明】
【技術分野】
【０００１】
本考案は、オストメイト（人工肛門、人工膀胱保有者）が装着しているパウチ（排泄物受袋）や、患者等の尿を入れた尿瓶等の汚損物を洗浄するのに適した汚損物洗浄装置に関する。
【背景技術】
【０００２】
既設のトイレ内に設置した便器を利用して、オストメイトが装着しているパウチや、患者等の尿を入れた尿瓶等の汚損物（以下、単に汚損物と称する）を洗浄するための汚損物洗浄装置は知られている（例えば、特許文献１や特許文献２参照）。
【０００３】
特許文献１に記載の汚損物洗浄装置は、給水配管に分岐接続した手動式給水弁と、汚損物へ向けて洗浄水を吐水する可撓性配管を有する洗浄ノズルとの配管途中に、床置き式の電気温水器を配設している。当該汚損物洗浄装置は、電気温水器において所定温度に加熱した状態の洗浄水を洗浄ノズルへ供給して汚損物を洗浄する。また、洗浄ノズルを構成する可撓性配管の基端部側は、壁面に固定したガイドバーに沿ってスライドする係止フックによって係止されている。使用者は、洗浄ノズルを手に持つことなく汚損物を迅速・容易に、且つ清潔に洗浄することができる。
【０００４】
特許文献２に記載の汚損物洗浄装置は、便器洗浄水用タンクに接続される給水配管から分岐接続した分岐配管に、電気温水器及び足踏み式開閉弁を接続し、汚損物へ向けて洗浄水を吐水する。電気温水器は、床面から１．５メートルより高い位置に配設されている。足踏み式開閉弁は、常時閉型であると共に、洗浄時に床付近に設けた足踏みペダルを踏み込むことで開放される。足踏みペダルを踏み込むことによって、電気温水器において所定温度に加熱した温水は、洗浄ノズル部へ供給される。洗浄後に足踏みペダルの踏み込みを元に戻すことで再び常時閉状態に戻る。
【先行技術文献】
【特許文献】
【０００５】
【特許文献１】特開２００６−１６８４０号公報
【特許文献２】登録実用新案第３１４７９９５号公報
【考案の概要】
【考案が解決しようとする課題】
【０００６】
近年、汚損物洗浄装置は、公共施設などへは、かなり普及しつつある。しかし、汚損物洗浄装置は、一般家庭へは、まだまだ普及していない。したがって、従来、オストメイトは、パウチを便所ではなく、風呂場や洗面所などで洗浄していることが多かった。しかし、衛生面や家族との共同生活などの諸事情を考慮すれば、パウチを家庭用の便所で洗浄したいという要望は強かった。そのため、患者等からは、家庭用の便所に容易かつ安価に設置することが可能な汚損物洗浄装置の開発が切望されていた。
【０００７】
しかし、特許文献２に記載の汚損物洗浄装置は、壁に電気温水器を設置しなければならない。しかし、一般家庭の便所には、通常、このような電気温水器を設置するスペースは存在しない。したがって、特許文献２に記載の汚損物洗浄装置は、家庭用としては不向きである。
【０００８】
一方、特許文献１に記載の汚損物洗浄装置は、床置き型の電気温水器を利用しているので、一般家庭の便所に設置することは可能である。しかし、下記のような点で、実用化には、困難が存在する。まず、ガイドバーによって、洗浄ノズルを固定しているが、このようなガイドバーは、場所をとり、場合によっては、スペース上の理由から便所に設置することができない可能性がある。次に、給水配管の直後に、給水弁を設けて、給水された水を、電気温水器に供給し、電気温水器で熱せられたお湯が吐水部から吐水される。しかし、電気温水器の給湯側に止水弁を設ける構成ではないので、水を瞬間的に熱して、吐水部からお湯を吐水しなければならない。そのため、電気温水器の消費電力はたとえば９００Wなど、高いものでなければならない。したがって、汚損物洗浄装置の価格が高くなってしまう。さらに、横方向に回す操作レバーによって給水弁を開ける構造になっているが、このような操作レバーは操作しにくい。加えて、吐水部から吐水された水が滴り落ちる可能性があり、便器及び便器周辺が濡れてしまう可能性もある。よって、特許文献１に記載の汚損物洗浄装置は、そのまま実用化するには不向きである。
【０００９】
それゆえ、本考案は、一般家庭に容易に設置でき、安価に実用化可能な汚損物洗浄装置を提供することを目的とする。
【課題を解決するための手段】
【００１０】
上記課題を解決するために、本考案は、以下のような特徴を有する。本考案は、床置き可能な電気温水器と、給水配管から供給される水を分岐する分岐部と、分岐部によって分岐された一方の水を電気温水器内の貯水タンクに給水する第１の給水管と、分岐部によって分岐された他方の水を流す第２の給水管と、第２の給水管からの水と貯水タンクから出湯される湯とを混合する混合栓と、混合栓に接続されており、混合した湯の流れを制御する開閉部と、開閉部に接続されており、所望の位置で固定可能なフレキシブルノズルとを備える。
【００１１】
好ましくは、さらに、給水配管の水を貯水タンクに給水するのを制御する止水栓と、流量を一定にするための定流量栓と、貯水タンクに給水する水圧を減圧する減圧栓とを備えるとよい。
【００１２】
好ましくは、開閉部は、レバーを上に向けると開く機構を有するとよい。
【００１３】
好ましくは、開閉部は、アングル止水栓と、アングル止水栓の弁を開閉するためのレバーハンドルとを含むとよい。
【００１４】
好ましくは、さらに、下部に、水を収容可能な排水トレイを備えるとよい。
【００１５】
好ましくは、さらに、貯水タンクの膨張水を貯水タンクの外部に出すための逃がし弁を備えるとよい。
【００１６】
好ましくは、さらに、貯水タンクの膨張水を貯水タンクの外部に出すための逃がし弁と、逃がし弁からの膨張水を排水トレイに流し入れるための膨張水用排水管とを備えるとよい。
【００１７】
好ましくは、排水トレイは、汚損物洗浄装置の下部において、引き出し可能に設置されており、不使用時に、フレキシブルノズルの出湯口は、引き出された排水トレイの上部に配置可能であるとよい。
【００１８】
好ましくは、湯沸かし時、開閉部は開けられた状態で、貯水タンクに水が貯まり、開閉部が閉じられた状態で貯水タンクに貯まった水が所定の温度にまで熱せられ、使用時、開閉部が開かれて、混合栓によって、第２の給水管と貯水タンクの湯とが混合され、フレキシブルノズルの先端から、出湯されるとよい。
【００１９】
好ましくは、貯水タンクにおいて、第１の給水管が下部に取り付けられている場合、出湯用の配管は、上部に取り付けられており、若しくは、第１の給水管が上部に取り付けられている場合、出湯用の配管は、下部に取り付けられているとよい。
【考案の効果】
【００２０】
本考案によれば、床置き可能な電気温水器を用いるので、一般家庭の便所に設置することができる汚損物洗浄装置が提供される。さらに、給水配管からの水を分岐部によって分岐して、第１の給水管を介して貯水タンクに水を溜め、貯水タンクで熱せられた湯を第２の給水管からの水と混合栓によって混合する。したがって、貯水タンクでは、水を予め熱しておくことができるので、瞬間湯沸かしタイプのヒーターを必ずしも用いなくてもよい。よって、安価で消費電力が少ない実用化に適した汚損物洗浄装置が提供されることとなる。ただし、本考案は、瞬間湯沸かしタイプのヒーターを用いることを排除するものではなく、瞬間湯沸かしタイプのヒーターを用いて、本考案を構成してもよい。フレキシブルノズルを所望の位置に固定することができるので、フレキシブルノズルを固定するためのサイドバーなどを利用せずとも、所望の位置で、パウチを洗浄することができる。よって、便所の空きスペースが狭い場合でも、利用可能な汚損物洗浄装置が提供可能である。
【００２１】
止水栓を用いれば、貯水タンクに水を溜める必要が無いときは、給水配管からの給水を止めることができる。定流量栓を用いれば、流量を一定にすることができ、出湯口から水が勢いよく出るのを防止することができる。減圧栓を用いれば、貯水タンク内に加えられる水圧を制御することができ、故障等を防止できる。
【００２２】
レバーを上に向けると開く機構を開閉部に設けることによって、容易に、出湯が可能となり、操作性が向上する。特に、アングル止水栓とレバーハンドルとを用いて開閉部を構成すれば、既存の部品を有効に組み合わせて、操作性のよい開閉部を構成することが可能である。アングル止水栓は、通常、回転式のハンドルやマイナスドライバーで開閉する金具によって、弁の開閉が制御される。しかし、本考案では、レバーハンドルをアングル止水栓に用いるという発想によって、操作性がよく、かつ、安価な開閉部を提供することができる。
【００２３】
下部に、排水トレイを設けることによって、汚損物洗浄装置から漏れる水を適宜受けることができる。たとえば、逃がし弁は、膨張水を逃がすために設けられているが、この膨張水を排水トレイに入れれば、便所が濡れるのを防止できる。たとえば、膨張水用配水管を設けて、排水トレイにまで配管すれば、確実に、膨張水を排水トレイに収容することができる。また、排水トレイを引出式にしておき、不使用時に、排水トレイを引き出して、出湯口を排水トレイの上部に配置することで、出湯口から漏れる水を受けることができ、便所が濡れるのを防止できる。
【００２４】
本考案では、貯水タンクに溜まった水を予め熱しておいて、水と湯とを混合して出湯する。したがって、適切な温度の湯を出湯することが可能となる。特に、第１の給水管を貯水タンクの下部（又は上部）に設け、貯水タンクの上部（又は下部）に出湯用の配管を設ければ、熱湯から順次混合栓に供給されることとなるので、出湯時に、急に湯が冷たくなるのを防止することができる。
【００２５】
本考案のこれら、及び他の目的、特徴、局面、効果は、添付図面と照合して、以下の詳細な説明から一層明らかになるであろう。
【図面の簡単な説明】
【００２６】
【図１】図１は、本考案の実施形態に係る汚損物洗浄装置１を便所内に設置したときの様子を示す斜視図である。
【図２】図２は、汚損物洗浄装置１の外観斜視図である。
【図３】図３は、汚損物洗浄装置１の前面パネル２９を取り外したときの内部構造を示す斜視図である。
【図４】図４は、汚損物洗浄装置１の機能的構造を示すブロック図である。
【図５】図５は、不使用時にフレキシブルノズル１４をどのように配置しておくかを示す斜視図である。
【図６】図６は、膨張水が排水トレイ２０に溜まるときの様子を示す斜視図である。
【図７】図７は、貯水タンク２に溜まっている水を捨てるときの様子を示す斜視図である。
【考案を実施するための形態】
【００２７】
図１は、本考案の実施形態に係る汚損物洗浄装置１を便所内に設置したときの様子を示す斜視図である。フレキシブルノズル１４は、所望の位置で固定可能なフレキシブルチューブによって形成されている。フレキシブルチューブとしては、あらゆる周知の構造を適用することができる。フレキシブルノズル１４は、先端に出湯口２３を有する。フレキシブルノズル１４の出湯口２３が便器の上に位置するようにして、椅子などに座り、出湯口２３から出湯される湯を利用してパウチを洗浄する。
【００２８】
図２は、汚損物洗浄装置１の外観斜視図である。図３は、汚損物洗浄装置１の前面パネル２９を取り外したときの内部構造を示す斜視図である。図４は、汚損物洗浄装置１の機能的構造を示すブロック図である。図２〜図４を参照しながら、汚損物洗浄装置１の構造及び機能について説明する。
【００２９】
通常、便器タンクに給水するために、通常、便所には、給水配管２４が設けられている。そこで、Ｔ型継ぎ手（これに限られない）などを利用した分岐部３７を給水配管２４に接続して、給水配管２４を分岐する。分岐部３７には、給水フレキシブルパイプ２５が接続されて、汚損物洗浄装置１へ給水する。給水フレキシブルパイプ２５には止水栓４が接続されている。止水栓４は、止水ハンドル１１によって開閉される。止水栓４の先には、定流量栓５と減圧栓６とが接続されている。定流量栓５は、給水配管２４からの水の流量を一定にする。減圧栓６は、貯水タンク２に規定圧力以上の水圧が加わらないように、水圧を減圧する。減圧栓６の先には、分岐部７が接続されている。なお、定流量栓５及び減圧栓６の位置は、図４に示した位置だけに限られるものではなく、適宜、適切な位置に配置されていてよい。
【００３０】
分岐部７は、たとえば、Ｔ型継ぎ手であるが、これに限られるものではない。分岐部７は、水を第１の給水管８及び第２の給水管９へ分岐する。第１の給水管８は、たとえば、貯水タンク２の底部に接続されている。ただし、底部以外に第１の吸水管８が接続されていてもよいし、複数の箇所から貯水タンクに給水されてもよい。第１の吸水管８からの水によって、電気温水器３４内の貯水タンク２に水が溜められる。
【００３１】
貯水タンク２には、ヒーター１７及び温度センサ１８が設けられている。ヒーター１７及び温度センサ１８は、制御装置１６によって、一定の温度まで水を温めるように制御される。また、制御装置１６は、貯水タンク２内の水が一定の温度まで下がると、ヒーター１７を熱するように制御して、貯水タンク２内の水を保温する。貯水タンク２には、水を温めた際の膨張水を外部に逃がすための逃がし弁１５が接続されている。逃がし弁１５には、膨張水用配管１９が接続されている。膨張水用配管１９の端部は、排水トレイ２０の上部にくるように配置されている。これにより、膨張水は、便所の床ではなく、排水トレイ２０に溜められる。貯水タンク２の底部には、配水管２１が接続されている。配水管２１には、排水弁２２が接続されている。貯水タンク２の水を捨てる場合、排水弁２２を開放する。
【００３２】
混合弁２０は、貯水タンク２から出湯する湯と第２の給水管９からの水とを混合する。混合された湯は、開閉部３に流れる。開閉部３は、アングル止水栓１２とレバーハンドル１３とを含む。アングル止水栓１２には、通常、回転式のハンドルやマイナスドライバーで開閉するための金具が接続される。本実施形態では、アングル止水栓１２内の開閉弁を開閉するために、レバーハンドル１３を取り付けている。これにより、レバーハンドル１３を持ち上げれば、アングル止水栓１２内の開閉弁が開放することとなる。また、レバーハンドル１３を用いるので、水平方向のどの角度からでもレバーハンドル１３を持ち上げることができるので、利便性が向上する。ただし、本考案では、レバーを上に向けると開く機構を開閉部３が有していれば操作性は向上するので、開閉部３は、アングル止水栓１２及びレバーハンドル１３による構造に限定されるものではない。また、操作性が劣るおそれがあるが、開閉部３は、レバーを上に向けると開く機構以外の機構によって、混合した湯の流れを制御してもよい。
【００３３】
アングル止水栓１２には、所望の位置で固定可能なフレキシブルノズル１４が接続されている。フレキシブルノズル１４の先端の出湯口２３から、湯が出る。
【００３４】
次に、図２を参照しながら、汚損物洗浄装置１の使用方法について説明する。まず、汚損物洗浄装置１を便器の脇の床に置き、電源プラグ２６及びアース栓２７をコンセント（図示せず）に接続する。次に、図１に示すように、水が便器に落ちるように、出湯口２３を便器に向ける。次に、レバーハンドル１３を上に上げて、開閉部３の弁を開ける。次に、止水ハンドル１１を回して、止水栓４の弁を開ける。これにより、給水配管２４からの水が、貯水タンク２に溜まり始めると共に、混合栓１０を介して、出湯口２３から水が出る。その後、しばらく（たとえば、数分程度で、貯水タンク２に水が溜まるまで）、出湯口２３から水を流す。これによって、貯水タンク２に水が溜まる。なお、貯水タンク２を透明又は半透明としておき、貯水タンク２に水が溜まったか否かを、全面パネル２９に設けられた確認窓３０を開けることによって確認できるようにしておいてもよい。また、センサやゲージなどで、貯水タンクの貯水量を外部から確認できるようにしてもよい。貯水タンク２に水が溜まった後、レバーハンドル１３を下げ、出湯口２３からの出水を止める。このとき、止水栓４は、開放したままにしておくことに注意する。
【００３５】
図５は、不使用時にフレキシブルノズル１４をどのように配置しておくかを示す斜視図である。図５に示すように、排水トレイ２０は、汚損物洗浄装置１の下部において、引き出し可能に設置されている。不使用時に、フレキシブルノズル１４の出湯口２３は、引き出された排水トレイ２０の上部に配置されるように、フレキシブルノズル１４の長さは決定されている。このように出湯口２３を配置すれば、水が滴り落ちたとしても、便所の床を濡らさなくて済む。
【００３６】
次に、電気温水器３４の電源スイッチ３２を入れる。これにより、通電ランプ３３が点灯し、沸き上げが始まる。沸き上げ温度は、たとえば、約８３度とするが、これに限られるものではない。沸き上げ中、膨張水は、逃がし弁１５及び膨張水用配管１９を介して、排水トレイ２０に溜まる。図６は、膨張水が排水トレイ２０に溜まるときの様子を示す斜視図である。排水トレイ２０に溜まった膨張水は、適宜、捨てる。
【００３７】
沸き上げが終了すると、通電ランプ３３が消灯する。貯水タンク２の容量を２．７リットルとし、ヒーター１７として４００Ｗのシーズヒーターを用いた場合、初期水温１８度のとき、約３０分で、約８３度まで温めることができる。電気温水器３４は、たとえば、温度センサ１８によって湯が約７０度まで下がった検知されたときに、再度沸き上げるとよいが、これに限られるものではない。
【００３８】
次に、湯を使う場合について説明する。まず、湯を使う場合、出湯口２３を便器に向ける。次に、レバーハンドル１３を上げて、開閉部３の弁を開ける。これによって、給水配管２４の水圧により、貯水タンク２の湯が混合栓１０まで流れると共に、第２の給水管９からの水が混合栓１０にまで流れる。混合栓１０は、予め、適切な温度（たとえば、約３８度）の湯を出湯するように、水と湯との混合度合いを調整してある。これにより、開閉部３及びフレキシブルノズル１４を介して、適切な温度の湯が出湯口２３から出て、パウチの洗浄に利用される。出湯中は、第１の給水管８から貯水タンク２に給水される。混合栓１０と貯水タンク２とを接続する配管は、貯水タンク２の上にあり、第１の給水管８は、貯水タンク２の下にあるので、熱湯が混合栓１０へ、供給される。なお、混合栓１０と貯水タンク２とを接続する配管が下で、第１の給水管８が上であってもよい。すなわち、混合栓１０には、熱湯が供給されるように、配管されているとよい。
【００３９】
パウチの洗浄が終われば、レバーハンドル１３を下げて、出湯を止める。パウチの洗浄には、１回で、約３〜４リットル程度の湯を使用する。したがって、混合栓１０によって、熱湯と水とが混合されてたとえば約３８度の湯を出湯する場合、貯水タンク２の容量としては２．７リットル程度あれば十分である。このように混合栓１０を用いることによって、貯水タンク２の容量を出来る限り小さくすることができ、結果、汚損物洗浄装置１を家庭内の便所に設置することができる程度に小型化することが可能となる。また、予め沸き上げた熱湯と水とを混合栓１０によって混合して、適切な温度の湯を供給するので、電気温水器３４は、瞬間的に湯沸かしができなくてもよい。したがって、ヒーター１７の消費電力をたとえば４００Ｗにするなど、出来る限り消費電力の低減化を図ることができる。公共施設に使用する汚損物洗浄装置であれば、瞬間湯沸かしタイプにしておいて、いかなる状況でもすぐに使用できるようにしなければならないが、家庭用の場合、予め沸き上げておいて保温しておけばよいので、ヒーター１７の消費電力を小さくすることが可能となる。その結果、低価格で汚損物洗浄装置１を提供することができる。
【００４０】
図７は、貯水タンク２に溜まっている水を捨てるときの様子を示す斜視図である。長期間使用しない場合や、凍結のおそれがある場合、貯水タンク２の水を捨てる必要がある。このとき、まず、止水ハンドル１１を回して止水栓４を閉じる。次に、全面パネル２９を外して、付属品の排水ホース３６を排水弁２２に取り付ける。次に、付属品の排水専用トレイ３５を排水ホース３６の出口に置く。次に、出湯口２３を上に向けるようにして、フレキシブルノズル１４全体がレバーハンドル１３よりも高くなるように、固定する。次に、レバーハンドルを上に向けて開ける。このような状態にセットした後、排水弁２２を回して、開放する。すると、内部に溜まっている水が、排水ホース３６から出てくる。排水専用トレイ３５がいっぱいになったら、排水弁２２を閉じて、水を捨てて、再度、排水弁２２を開いて排水する。排水が終わったら、排水ホース３６を取り外して、排水栓２２を閉じて、前面パネル２９を元通りに取り付ける。
【００４１】
なお、定期的な点検として、下記の事項を実施するとよい。逃がし弁１５は、通常、それに設けられたレバーを引き上げると、貯水タンク２内の水が出るようになっている。確認窓３０を開けると、逃がし弁があり、強制的に排水することによって、膨張水の排水が機能しているか否かを確認する。
【００４２】
また、漏電遮断器テストボタン３１は、漏電遮断器（図示せず）が正常に機能しているか否かを確認するためのボタンである。電源スイッチ３２をオン状態にした上で、漏電遮断器テストボタン３１を押せば、正常に作動しているときは、電源スイッチ３２がオフ状体になる。これによって、漏電遮断器が正常に動作しているか否かを確認することができる。
【００４３】
以上、本考案を詳細に説明してきたが、前述の説明はあらゆる点において本考案の例示にすぎず、その範囲を限定しようとするものではない。本考案の範囲を逸脱することなく種々の改良や変形を行うことができることは言うまでもない。
【産業上の利用可能性】
【００４４】
本考案は、汚損物洗浄装置であり、産業上利用可能である。
【符号の説明】
【００４５】
１  汚損物洗浄装置
２  貯水タンク
３  開閉部
４  止水栓
５  定流量栓
６  減圧栓
７  分岐部
８  第１の給水管
９  第２の給水管
１０  混合栓
１１  止水ハンドル
１２  アングル止水栓
１３  レバーハンドル
１４  フレキシブルノズル
１５  逃がし弁
１６  制御装置
１７  ヒーター
１８  温度センサ
１９  膨張水用排水管
２０  排水トレイ
２１  排水管
２２  排水弁
２３  出湯口
２４  給水配管
２５  給水フレキシブルパイプ
２６  電源プラグ
２７  アース線
２８  電源コード
２９  前面パネル
３０  確認窓
３１  漏電遮断器テストボタン
３２  電源スイッチ
３３  通電ランプ
３４  電気温水器
３５  排水専用トレイ
３６  排水ホース
３７  分岐部
【図１】
0003164233.tif 000003
【図２】
0003164233.tif 000004
【図３】
0003164233.tif 000005
【図４】
0003164233.tif 000006
【図５】
0003164233.tif 000007
【図６】
0003164233.tif 000008
【図７】
0003164233.tif 000009